(57)【要約】本発明は、例えば燃焼処理ガスのようなガスから粒子物質を取り除くために用いることができるファブリック式フィルタシステムに関する。このフィルタシステムは、フィルタコンパートメント内に設置されているファブリック式フィルタ（３）を包含する。ガスはこのフィルタからフィルタプレナリースペース（５）を通って出口ダクト（７）へ流れ、この出口ダクトでガスは出る。流れ制御装置が、出口ダクト（７）を通して出るガスの量を制御する。この流れ制御装置は、ルーバ型ダンパ（１７）から成る。これは、ガス流れの信頼できてかつ効率の良い制御を提供する。フィルタプレナリースペース（５）を出口ダクト（７）に接続するカラー（２１）は、出口ダクト内のガスの流れを改善する。
2012501846.tif 000002
【特許請求の範囲】
【請求項１】
ガスから粒子物質を取り除くファブリック式フィルタシステムにおいて、
ファブリック式フィルタと、
このファブリック式フィルタからのガスを受け入れるフィルタプレナリースペースと、
内部を有し、前記フィルタプレナリースペースからのガスが通過して流れることができる出口ダクトと、
この出口ダクトを通して出るガスの量を制御する流れ制御装置と、
を包含し、
前記流れ制御装置がルーバ型ダンパから成っているファブリック式フィルタシステム。
【請求項２】
請求項１記載のファブリック式フィルタシステムにおいて、広幅端と細幅端とを有するテーパカラーが前記出口ダクトを前記フィルタプレナリースペースに接続し、前記広幅端が前記フィルタプレナリースペース内に位置していると共に、前記細幅端が前記出口ダクト内に位置しているファブリック式フィルタシステム。
【請求項３】
請求項２記載のファブリック式フィルタシステムにおいて、前記広幅端の開口が前記出口ダクトに入るガスに対してなめらかな曲面を形成しているファブリック式フィルタシステム。
【請求項４】
請求項２記載のファブリック式フィルタシステムにおいて、前記広幅端の開口が漏斗状であるファブリック式フィルタシステム。
【請求項５】
請求項２記載のファブリック式フィルタシステムにおいて、前記テーパカラーがガス流れの方向から見たときに矩形状であるファブリック式フィルタシステム。
【請求項６】
請求項１記載のファブリック式フィルタシステムにおいて、前記ルーバ型ダンパが２つ又はそれ以上のウイングを包含し、これらのウイングが平行に動かされるようにしたファブリック式フィルタシステム。
【請求項７】
請求項１記載のファブリック式フィルタシステムにおいて、前記ルーバ型ダンパが開き位置と閉じ位置との間を動くことができ、及び、更には、前記開き位置と前記閉じ位置との間の少なくともひとつの位置にて用いられるように動くことができるようにしたファブリック式フィルタシステム。
【発明の詳細な説明】
【技術分野】
【０００１】
本出願は、２００８年９月１１日に出願した米国特許仮出願第６１／０９５,９６５号の優先権を主張するものであり、その全体の内容を参照するためにその内容は本明細書に含まれている。
【０００２】
本発明は、ガスから粒子物質を取り除くファブリック式フィルタシステムであって、ファブリック式フィルタと、このファブリック式フィルタからのガスを受け入れるフィルタプレナリースペースと、内部を有し、前記フィルタプレナリースペースからのガスが通過して流れることができる出口ダクトと、この出口ダクトを通して出るガスの量を制御する流れ制御装置とを包含するファブリック式フィルタシステムに関する。
【背景技術】
【０００３】
ファブリック式フィルタシステムの一般的な例が、例えば米国特許第４３３６０３５号明細書に開示されている。このようなシステムのフィルタは複数のフィルタバッグを包含し、これらのフィルタバッグはガス流れから粒子物質を分離する。このようなフィルタシステムの典型的な適用は、石炭燃焼プロセスからの煙道ガスを清浄にすることである。
【０００４】
ある場合において、例えば、保守点検作業員がひとつのフィルタシステムの内部に入ることができるようにすると共に、他の平行なフィルタシステムによって濾過を連続せしめるために、ガスがひとつのフィルタシステムを通して流れるのを実質的に停止することが望まれる。
【０００５】
これは、上述した型式の流れ制御装置により行うことができる。この流れ制御装置はフラップダンパによって作られ、このフラップダンパは２つの位置、すなわち、ダクトへの開口が開いている位置と上記開口がドアによって閉じられる位置との間を枢動することができるヒンジ式ドアのように工夫されている。
【０００６】
このようなフィルタシステムに関連するひとつの問題は、特に上記開口の断面が大きく、その結果、大きなドアが用いられる場合に、ドアを作動させるのが困難となることである。例えば、ダンパを開くためにかなりの力が必要とされる。
【発明の概要】
【０００７】
本発明の目的は、したがって、システムを通過するガス流れを一層容易に制御することができるファブリック式フィルタシステムを提供することにある。
【０００８】
この目的は、特許請求の範囲の請求項１に記載したファブリック式フィルタシステムにより達成される。より詳細には、このファブリック式フィルタシステムは、ファブリック式フィルタと、このファブリック式フィルタからのガスを受け入れるフィルタプレナリースペースと、内部を有し、前記フィルタプレナリースペースからのガスが通過して流れることができる出口ダクトと、この出口ダクトを通して出るガスの量を制御する流れ制御装置とを包含し、前記流れ制御装置がルーバ型ダンパから成っている。
【０００９】
このようなダンパは、大きな開口が必要とされたときに、特に１つ以上のウイングが設けられて、各ウイングが開口の一部分を閉じるようにした場合には、非常に効率が良いことがわかっている。これらの各ウイングは、回転をするのに必要とされる力がダンパでの圧力降下と全く無関係である場所であるピボットポイントのまわりを回転するように作動させることができる。
【００１０】
更に、広幅端と細幅端とを有するテーパカラーが前記出口ダクトを前記フィルタプレナリースペースに接続し、前記広幅端が前記フィルタプレナリースペース内に位置すると共に、前記細幅端が前記出口ダクト内に位置するようにすることができる。このようなテーパカラーはダクト開口におけるガス流れを改善することができ、その結果、より小さな開口及びそれ故より小さなダンパを一定のガス流れ及び圧力損失のために設けることができる。前記広幅端の開口は、前記出口ダクトに入るガス流れに対してなめらかな曲面を形成することができるし、又は漏斗状とすることもできる。
【００１１】
前記テーパカラーはガス流れの方向から見たときに矩形状とすることができ、したがって矩形状のルーバ型ダンパと容易に適合することができる。
【００１２】
前記ルーバ型ダンパは、開き位置と閉じ位置との間を動くことができ、及び、更には、前記開き位置と前記閉じ位置との間の少なくともひとつの位置にて用いられるように動くことができるようにすることができる。これは、ガス流れを遮断するのみならず、また、例えば２つの平行なフィルタシステム間のガス流れを均一にするようにダンパを用いることができるようにする。
【図面の簡単な説明】
【００１３】
【図１】先行技術によるファブリック式フィルタシステムの出口部分を示す図である。
【図２】図１の出口部分と対応する、本発明によるファブリック式フィルタシステムの出口部分を示す図である。
【図３】ルーバ型ダンパが閉じ位置である状態を示す図である。
【図４】ルーバ型ダンパが開き位置である状態を示す図である。
【図５】第１のダクト開口カラー設計を示す図である。
【図６】第２のダクト開口カラー設計を示す図である。
【図７】互いに並んで配置されている、ダクトへの２つの開口の正面図である。
【発明を実施するための形態】
【００１４】
図１は、先行技術によるファブリック式フィルタシステムの出口部分を示す。ファブリック式フィルタは、一般に当業者に良く知られているので、詳細な説明はしない。
【００１５】
一般に、粒子物質は複数のファブリックバッグ又はホースを包含することができるファブリック式フィルタ３の手段によりガス流れ１から取り除かれる。典型的な適用において、フィルタシステムは化石燃料燃焼ボイラの燃焼室を出る煙道ガスから粒子物質を取り除くために用いることができる。ガスは、ファブリック式フィルタ３を出るとき、フィルタ３の上部のフィルタプレナリースペース５又はフィルタ構成部品を通過する。プレナリースペースは、複数のフィルタバッグに対して共通である。ガスは、それから、開口６を通して出口ダクト７に入り、この出口ダクトはファブリック式フィルタ３及びプレナリースペース５に関して横に位置することができる。複数の開口を設けることもできる。フィルタシステムは、各開口のためのドア型フラップダンパ９の形の流れ制御装置を包含し、フラップダンパ９はピボット１１に枢動可能に取り付けられる。これにより、フラップダンパ９は開き位置（図示されている位置）と閉じ位置（点線で示されている位置）との間を動くことができ、開き位置では、ガスが出口ダクト７に入るのを許され、これに対して、閉じ位置では、フラップダンパ９は出口ダクト７への開口６をファブリック式フィルタ３の上方のプレナリースペース５から密封し、その結果、ガス流れ１は実質的に停止される。フラップダンパ９は、それから、アクチュエータ１３の手段によりフィルタシステムのダクト壁１５の外へ動かされる。これは、例えばメンテナンス作業を行うために保守点検作業員がフィルタプレナリースペースに安全に入ることをできるようにする。
【００１６】
ファブリック式フィルタ３が比較的小さい限りは、図１の構成は効率の良い流れ調整の解決を提供する。しかしながら、より大きなファブリック式フィルタが考えられたときには、ガス流れはより多くなり、出口ダクトの１つ又は複数の開口もまた大きくしなければならない。これはかなりの面積を有する大きなフラップダンパの使用を必要とさせ、このような大きなフラップダンパは駆動せしめるのに大きな力を必要とする。これは、フラップダンパ及びこれらのダンパと関連するアクチュエータがファブリック式フィルタシステムを大型にして高価にすることを意味する。
【００１７】
このような大きなフラップダンパの使用に代わるものとして、ポペット型ダンパの使用があり、ポペット型ダンパはダクトへの開口が開いている位置とこの開口が閉じている他の位置との間をガス流れと平行して動かされる。しかしながら、このようなポペット型ダンパは、ダクトへの開口の寸法が多くのガス流れを処理するために大きくなるときに同じ問題を生じせしめる。
【００１８】
図２は、図１の出口部分と対応する、本発明によるファブリック式フィルタシステムの出口部分を示す。このシステムは、出口ダクト７の中に設置されているルーバ型ダンパ１７の形の流れ制御装置を包含する。このルーバ型ダンパ１７は１つ又はそれ以上のウイング１９を包含し、この又はこれらのウイング１９はダンパ１７の中に枢動可能に取り付けられ、その結果、この又はこれらのウイング１９は、ウイング１９がガス流れ１とほぼ平行である開き位置と、この開き位置に対して垂直である閉じ位置との間を動くことができる。ルーバ型ダンパ１７は、図３及び図４を参照して一層詳細に後述される。
【００１９】
また、ガス流れを調整するために閉じ位置と開き位置との間の中間位置を使用することもできる。これは、例えば、２つ又はそれ以上の平行なフィルタのガス流れをバランスするために望まれる。ダンパは、それから、開き位置と閉じ位置との間を連続して動かされる。
【００２０】
テーパカラー２１を設けることができ、このテーパカラー２１は広幅端２３と細幅端２５とを有する。カラー２１は出口ダクト７をプレナリースペース５に接続し、広幅端２３はプレナリースペース５内に位置すると共に、細幅端２５は出口ダクト７の内部に位置する。このカラー２１はガス流れの流れ状態を改善し、その結果、小さな開口を一定の圧力損失及び一定のガス速度のために設けることができる。小さな開口を備えることにより、小さな面積を有するダンパ１７を用いることができる。テーパカラーは、更に、図５及び図６を参照して後述される。
【００２１】
図１に示した構成と同様に、ルーバ型ダンパ１７はプレナリースペース５のダクト壁１５の外側に設置されているアクチュエータ１３の手段により制御される。リンク２７は、アクチュエータ１３をダンパ１７に接続する。
【００２２】
図３は、ルーバ型ダンパ１７が閉じ位置である状態を示す。ここに例示したダンパは２つのウイング２９,３１を有し、各ウイングはピボット軸３３,３５に枢動可能に取り付けられている。各ピボット軸の位置は、好適には、各ウイングの中間点と一致し、その結果、各ウイングはバランスされている。これは、ガス流れによるウイングの回転がそれ自体ウイングを回転させないことを助長する。
【００２３】
２つのウイングは、これらのウイングが閉じ位置で出会ってオーバラップし、シール効果を提供する区域３７を形成するように取り付けることができる。このシール効果は、当分野において知られている、異なるシール装置により増強することができる。第１のウイング２９は、リンク２７を介してアクチュエータ（図示せず）により制御され、その結果、リンク２７に隣接して示している矢印の方向への直線運動が第１のウイング２９をそのピボット軸３３のまわりに回転せしめ、これにより、増大するガス流れを出口ダクト内へ通過させることができる。２つのウイング２９,３１の各々は、その各ピボット軸３３,３５のところで各ウイングに堅固に接続したクランク３９,４１を有することができる。そして、これらのクランクの末端はロッド４３の手段により相互に接続することができ、その結果、第２のウイング３１は第１のウイング２９の運動をまねる。これにより、第２のウイング３１はそれ自身のアクチュエータをもつ必要はない。したがって、リンク２７を図３に矢印によって示されるように動かすことにより、ルーバ型ダンパ１７を図４に示されている開き位置に切り換えることができる。上述したように、ダンパ１７を開き位置と閉じ位置との間の中間位置にて用いることもできる。２つのウイングを同一の方向へ平行な姿勢にして動かす必要はない。すなわち、他の選択として、２つのウイングをこれらのウイングが正反対の方向へ回転する、逆の平行な姿勢にして動くようにすることもできる。更に他の選択として、一度にひとつのウイングを動かすこともできる。
【００２４】
図３及び図４において、２つのウイングを備えているルーバ型ダンパ１７が示されている。しかしながら、２つ以上のウイングを用いることもできるし、またひとつのみのウイングを備える実施形態も考えることができる。ウイングは、例えば鋼で作ることができる。
【００２５】
図５は、第１のダクト開口カラー設計を断面にして示す。この設計は、出口ダクトに入るガス流れ１に対してなめらかな曲面４４を提供する。異なるベルマウス断面を考えることができ、例えば、特定の半径を有するベルマウス断面、又は指数関数に適当に似ているベルマウス断面を考えることができる。これは、ガス流れをなめらかにし、出口ダクト開口での圧力損失を減少せしめる。しかしながら、また、図６に示されているような漏斗状のカラー４５もこの効果を少なくともある程度提供する。
【００２６】
図７は、入来するガス流れの方向から見た、２つのテーパカラー２１の正面図を示す。すなわち、これらのカラーは４つの側部分４７,４９,５１,５３を有する矩形状である。これは、矩形状の狭い内側端部分５５を提供し、この部分には上述したルーバ型ダンパを容易に取り付けることができる。
【００２７】
要約すると、本発明は例えば燃焼処理ガスのようなガスから粒子物質を取り除くために用いることができるファブリック式フィルタシステムに関する。このフィルタシステムは、フィルタコンパートメント内に設置されているファブリック式フィルタを包含する。ガスはこのフィルタからフィルタプレナリースペースを通って出口ダクトへ流れ、この出口ダクトでガスは出る。流れ制御装置が、出口ダクトを通して出るガスの量を制御する。この流れ制御装置は、ルーバ型ダンパから成る。これは、ガス流れの信頼できてかつ効率の良い制御を提供する。フィルタプレナリースペースを出口ダクトに接続するカラーは、出口ダクトへのガスの流れを改善する。
【００２８】
本発明の範囲は、上述した実施形態により限定されるものではなく、特許請求の範囲の記載によってのみ限定されるものである。例えば、たとえ上述した実施形態が燃焼プロセスに関連して説明されていても、上述した種類のフィルタは、他の任意のガスから他の任意の粒子物質を取り除くためにも用いることができるものである。したがって、他の適用、例えば通風システムも考えられるものである。
【図１】
2012501846.tif 000003
【図２】
2012501846.tif 000004
【図３】
2012501846.tif 000005
【図４】
2012501846.tif 000006
【図５】
2012501846.tif 000007
【図６】
2012501846.tif 000008
【図７】
2012501846.tif 000009
【手続補正書】
【提出日】平成23年11月8日(2011.11.8)
【手続補正１】
【補正対象書類名】明細書
【補正対象項目名】全文
【補正方法】変更
【補正の内容】
【書類名】明細書
【発明の名称】ファブリック式フィルタシステム
【技術分野】
【０００１】
本出願は、２００８年９月１１日に出願した米国特許仮出願第６１／０９５,９６５号の優先権を主張するものであり、その全体の内容を参照するためにその内容は本明細書に含まれている。
【０００２】
本発明は、ガスから粒子物質を取り除くファブリック式フィルタシステムであって、ファブリック式フィルタと、このファブリック式フィルタからのガスを受け入れるフィルタプレナリースペースと、内部を有し、前記フィルタプレナリースペースからのガスが通過して流れることができる出口ダクトと、この出口ダクトを通して出るガスの量を制御する流れ制御装置とを包含するファブリック式フィルタシステムに関する。
【背景技術】
【０００３】
ファブリック式フィルタシステムの一般的な例が、例えば米国特許第４３３６０３５号明細書に開示されている。このようなシステムのフィルタは複数のフィルタバッグを包含し、これらのフィルタバッグはガス流れから粒子物質を分離する。このようなフィルタシステムの典型的な適用は、石炭燃焼プロセスからの煙道ガスを清浄にすることである。
【０００４】
ある場合において、例えば、保守点検作業員がひとつのフィルタシステムの内部に入ることができるようにすると共に、他の平行なフィルタシステムによって濾過を連続せしめるために、ガスがひとつのフィルタシステムを通して流れるのを実質的に停止することが望まれる。
【０００５】
これは、上述した型式の流れ制御装置により行うことができる。この流れ制御装置はフラップダンパによって作られ、このフラップダンパは２つの位置、すなわち、ダクトへの開口が開いている位置と上記開口がドアによって閉じられる位置との間を枢動することができるヒンジ式ドアのように工夫されている。
【０００６】
このようなフィルタシステムに関連するひとつの問題は、特に上記開口の断面が大きく、その結果、大きなドアが用いられる場合に、ドアを作動させるのが困難となることである。例えば、ダンパを開くためにかなりの力が必要とされる。
【発明の概要】
本発明の目的は、したがって、システムを通過するガス流れを一層容易に制御することができるファブリック式フィルタシステムを提供することにある。
【０００７】
この目的は、特許請求の範囲の請求項１に記載したファブリック式フィルタシステムにより達成される。より詳細には、このファブリック式フィルタシステムは、ガスから粒子物質を取り除くファブリック式フィルタシステムであって、ファブリック式フィルタと、このファブリック式フィルタからのガスを受け入れるフィルタプレナリースペースと、内部を有するテーパカラーを包含する出口ダクトであって、前記テーパカラーの内部を通して前記フィルタプレナリースペースからのガスが流れることができる出口ダクトと、前記テーパカラー内に設置されて、前記出口ダクトを通して出るガスの量を制御する流れ制御装置とを包含し、前記流れ制御装置が開き位置、閉じ位置及び前記開き位置と前記閉じ位置との間の少なくともひとつの中間位置に調整可能なルーバ型ダンパから成っていることを特徴とする。
【０００８】
このようなルーバ型ダンパは、大きな開口が必要とされたときに、特に１つ以上のウイングが設けられて、各ウイングが開口の一部分を閉じるようにした場合には、非常に効率が良いことがわかっている。これらの各ウイングは、回転をするのに必要とされる力がダンパでの圧力降下と全く無関係である場所であるピボットポイントのまわりを回転するように作動させることができる。
【０００９】
また、前記ルーバ型ダンパは開き位置と閉じ位置との間を動くことができ、及び、更には、前記開き位置と前記閉じ位置との間の少なくともひとつの中間位置にて用いられるように動くことができるので、ガス流れを遮断するのみならず、また、例えば２つの平行なフィルタシステム間のガス流れを均一にすることができる。
【００１０】
好適には、前記テーパカラーは広幅端と細幅端とを包含し、前記広幅端が前記フィルタプレナリースペース内に位置すると共に、前記細幅端が前記出口ダクト内に位置するようにすることができる。このようなテーパカラーはダクト開口におけるガス流れを改善することができ、その結果、より小さな開口及びそれ故より小さなダンパを一定のガス流れ及び圧力損失のために設けることができる。
【００１１】
また、前記テーパカラーは、前記出口ダクトに入るガスに対してなめらかな曲面を形成する広幅端を有することができ、又は幅の広い漏斗状の開口を包含することができる。
【００１２】
更に、前記テーパカラーはガス流れの方向から見たときに矩形状とすることができ、したがって矩形状のルーバ型ダンパと容易に適合することができる。
【図面の簡単な説明】
【００１３】
【図１】
先行技術によるファブリック式フィルタシステムの出口部分を示す図である。
【図２】
図１の出口部分と対応する、本発明によるファブリック式フィルタシステムの出口部分を示す図である。
【図３】
ルーバ型ダンパが閉じ位置である状態を示す図である。
【図４】
ルーバ型ダンパが開き位置である状態を示す図である。
【図５】
第１のダクト開口カラー設計を示す図である。
【図６】
第２のダクト開口カラー設計を示す図である。
【図７】
互いに並んで配置されている、ダクトへの２つの開口の正面図である。
【発明を実施するための形態】
【００１４】
図１は、先行技術によるファブリック式フィルタシステムの出口部分を示す。ファブリック式フィルタは、一般に当業者に良く知られているので、詳細な説明はしない。
【００１５】
一般に、粒子物質は複数のファブリックバッグ又はホースを包含することができるファブリック式フィルタ３の手段によりガス流れ１から取り除かれる。典型的な適用において、フィルタシステムは化石燃料燃焼ボイラの燃焼室を出る煙道ガスから粒子物質を取り除くために用いることができる。ガスは、ファブリック式フィルタ３を出るとき、フィルタ３の上部のフィルタプレナリースペース５又はフィルタ構成部品を通過する。プレナリースペースは、複数のフィルタバッグに対して共通である。ガスは、それから、開口６を通して出口ダクト７に入り、この出口ダクトはファブリック式フィルタ３及びプレナリースペース５に関して横に位置することができる。複数の開口を設けることもできる。フィルタシステムは、各開口のためのドア型フラップダンパ９の形の流れ制御装置を包含し、フラップダンパ９はピボット１１に枢動可能に取り付けられる。これにより、フラップダンパ９は開き位置（図示されている位置）と閉じ位置（点線で示されている位置）との間を動くことができ、開き位置では、ガスが出口ダクト７に入るのを許され、これに対して、閉じ位置では、フラップダンパ９は出口ダクト７への開口６をファブリック式フィルタ３の上方のプレナリースペース５から密封し、その結果、ガス流れ１は実質的に停止される。フラップダンパ９は、それから、アクチュエータ１３の手段によりフィルタシステムのダクト壁１５の外へ動かされる。これは、例えばメンテナンス作業を行うために保守点検作業員がフィルタプレナリースペースに安全に入ることをできるようにする。
【００１６】
ファブリック式フィルタ３が比較的小さい限りは、図１の構成は効率の良い流れ調整の解決を提供する。しかしながら、より大きなファブリック式フィルタが考えられたときには、ガス流れはより多くなり、出口ダクトの１つ又は複数の開口もまた大きくしなければならない。これはかなりの面積を有する大きなフラップダンパの使用を必要とさせ、このような大きなフラップダンパは駆動せしめるのに大きな力を必要とする。これは、フラップダンパ及びこれらのダンパと関連するアクチュエータがファブリック式フィルタシステムを大型にして高価にすることを意味する。
【００１７】
このような大きなフラップダンパの使用に代わるものとして、ポペット型ダンパの使用があり、ポペット型ダンパはダクトへの開口が開いている位置とこの開口が閉じている他の位置との間をガス流れと平行して動かされる。しかしながら、このようなポペット型ダンパは、ダクトへの開口の寸法が多くのガス流れを処理するために大きくなるときに同じ問題を生じせしめる。
【００１８】
図２は、図１の出口部分と対応する、本発明によるファブリック式フィルタシステムの出口部分を示す。このシステムは、出口ダクト７の中に設置されているルーバ型ダンパ１７の形の流れ制御装置を包含する。このルーバ型ダンパ１７は１つ又はそれ以上のウイング１９を包含し、この又はこれらのウイング１９はダンパ１７の中に枢動可能に取り付けられ、その結果、この又はこれらのウイング１９は、ウイング１９がガス流れ１とほぼ平行である開き位置と、この開き位置に対して垂直である閉じ位置との間を動くことができる。ルーバ型ダンパ１７は、図３及び図４を参照して一層詳細に後述される。
【００１９】
また、ガス流れを調整するために閉じ位置と開き位置との間の中間位置を使用することもできる。これは、例えば、２つ又はそれ以上の平行なフィルタのガス流れをバランスするために望まれる。ダンパは、それから、開き位置と閉じ位置との間を連続して動かされる。
【００２０】
テーパカラー２１を設けることができ、このテーパカラー２１は広幅端２３と細幅端２５とを有する。カラー２１は出口ダクト７をプレナリースペース５に接続し、広幅端２３はプレナリースペース５内に位置すると共に、細幅端２５は出口ダクト７の内部に位置する。このカラー２１はガス流れの流れ状態を改善し、その結果、小さな開口を一定の圧力損失及び一定のガス速度のために設けることができる。小さな開口を備えることにより、小さな面積を有するダンパ１７を用いることができる。テーパカラーは、更に、図５及び図６を参照して後述される。
【００２１】
図１に示した構成と同様に、ルーバ型ダンパ１７はプレナリースペース５のダクト壁１５の外側に設置されているアクチュエータ１３の手段により制御される。リンク２７は、アクチュエータ１３をダンパ１７に接続する。
【００２２】
図３は、ルーバ型ダンパ１７が閉じ位置である状態を示す。ここに例示したダンパは２つのウイング２９,３１を有し、各ウイングはピボット軸３３,３５に枢動可能に取り付けられている。各ピボット軸の位置は、好適には、各ウイングの中間点と一致し、その結果、各ウイングはバランスされている。これは、ガス流れによるウイングの回転がそれ自体ウイングを回転させないことを助長する。
【００２３】
２つのウイングは、これらのウイングが閉じ位置で出会ってオーバラップし、シール効果を提供する区域３７を形成するように取り付けることができる。このシール効果は、当分野において知られている、異なるシール装置により増強することができる。第１のウイング２９は、リンク２７を介してアクチュエータ（図示せず）により制御され、その結果、リンク２７に隣接して示している矢印の方向への直線運動が第１のウイング２９をそのピボット軸３３のまわりに回転せしめ、これにより、増大するガス流れを出口ダクト内へ通過させることができる。２つのウイング２９,３１の各々は、その各ピボット軸３３,３５のところで各ウイングに堅固に接続したクランク３９,４１を有することができる。そして、これらのクランクの末端はロッド４３の手段により相互に接続することができ、その結果、第２のウイング３１は第１のウイング２９の運動をまねる。これにより、第２のウイング３１はそれ自身のアクチュエータをもつ必要はない。したがって、リンク２７を図３に矢印によって示されるように動かすことにより、ルーバ型ダンパ１７を図４に示されている開き位置に切り換えることができる。上述したように、ダンパ１７を開き位置と閉じ位置との間の中間位置にて用いることもできる。２つのウイングを同一の方向へ平行な姿勢にして動かす必要はない。すなわち、他の選択として、２つのウイングをこれらのウイングが正反対の方向へ回転する、逆の平行な姿勢にして動くようにすることもできる。更に他の選択として、一度にひとつのウイングを動かすこともできる。
【００２４】
図３及び図４において、２つのウイングを備えているルーバ型ダンパ１７が示されている。しかしながら、２つ以上のウイングを用いることもできるし、またひとつのみのウイングを備える実施形態も考えることができる。ウイングは、例えば鋼で作ることができる。
【００２５】
図５は、第１のダクト開口カラー設計を断面にして示す。この設計は、出口ダクトに入るガス流れ１に対してなめらかな曲面４４を提供する。異なるベルマウス断面を考えることができ、例えば、特定の半径を有するベルマウス断面、又は指数関数に適当に似ているベルマウス断面を考えることができる。これは、ガス流れをなめらかにし、出口ダクト開口での圧力損失を減少せしめる。しかしながら、また、図６に示されているような漏斗状のカラー４５もこの効果を少なくともある程度提供する。
【００２６】
図７は、入来するガス流れの方向から見た、２つのテーパカラー２１の正面図を示す。すなわち、これらのカラーは４つの側部分４７,４９,５１,５３を有する矩形状である。これは、矩形状の狭い内側端部分５５を提供し、この部分には上述したルーバ型ダンパを容易に取り付けることができる。
【００２７】
要約すると、本発明は例えば燃焼処理ガスのようなガスから粒子物質を取り除くために用いることができるファブリック式フィルタシステムに関する。このフィルタシステムは、フィルタコンパートメント内に設置されているファブリック式フィルタを包含する。ガスはこのフィルタからフィルタプレナリースペースを通って出口ダクトへ流れ、この出口ダクトでガスは出る。流れ制御装置が、出口ダクトを通して出るガスの量を制御する。この流れ制御装置は、ルーバ型ダンパから成る。これは、ガス流れの信頼できてかつ効率の良い制御を提供する。フィルタプレナリースペースを出口ダクトに接続するカラーは、出口ダクトへのガスの流れを改善する。
【００２８】
本発明の範囲は、上述した実施形態により限定されるものではなく、特許請求の範囲の記載によってのみ限定されるものである。例えば、たとえ上述した実施形態が燃焼プロセスに関連して説明されていても、上述した種類のフィルタは、他の任意のガスから他の任意の粒子物質を取り除くためにも用いることができるものである。したがって、他の適用、例えば通風システムも考えられるものである。
【手続補正２】
【補正対象書類名】特許請求の範囲
【補正対象項目名】全文
【補正方法】変更
【補正の内容】
【特許請求の範囲】
【請求項１】
ガスから粒子物質を取り除くファブリック式フィルタシステムにおいて、ファブリック式フィルタ（３）と、このファブリック式フィルタ（３）からのガスを受け入れるフィルタプレナリースペース（５）と、内部を有するテーパカラー（２１）を包含する出口ダクト（７）であって、前記テーパカラー（２１）の内部を通して前記フィルタプレナリースペース（５）からのガスが流れることができる出口ダクト（７）と、前記テーパカラー（２１）内に設置されて、前記出口ダクト（１）を通して出るガスの量を制御する流れ制御装置（１７）とを包含し、前記流れ制御装置（１７）が開き位置、閉じ位置及び前記開き位置と前記閉じ位置との間の少なくともひとつの中間位置に調整可能なルーバ型ダンパ（１７）から成っていることを特徴とするファブリック式フィルタシステム。
【請求項２】
請求項１記載のファブリック式フィルタシステムにおいて、前記テーパカラー（２１）が広幅端（２３）と細幅端（２５）とを包含し、前記広幅端（２３）が前記フィルタプレナリースペース（５）内に位置していると共に、前記細幅端（２５）が前記出口ダクト（７）内に位置していることを特徴とするファブリック式フィルタシステム。
【請求項３】
請求項１記載のファブリック式フィルタシステムにおいて、前記テーパカラー（２１）が前記出口ダクト（７）に入るガスに対してなめらかな曲面を形成する広幅端（２３）を有することを特徴とするファブリック式フィルタシステム。
【請求項４】
請求項１記載のファブリック式フィルタシステムにおいて、前記テーパカラー（２１）が幅の広い漏斗状の開口（２３）を包含することを特徴とするファブリック式フィルタシステム。
【請求項５】
請求項１記載のファブリック式フィルタシステムにおいて、前記テーパカラー（２１）がガス流れの方向から見たときに矩形状であることを特徴とするファブリック式フィルタシステム。
【請求項６】
請求項１記載のファブリック式フィルタシステムにおいて、前記ルーバ型ダンパ（１７）が２つ又はそれ以上のウイング（２９,３１）を包含し、これらのウイングが平行に動かされることを特徴とするファブリック式フィルタシステム。
【請求項７】
請求項１記載のファブリック式フィルタシステムにおいて、前記ルーバ型ダンパ（１７）が開き位置と閉じ位置との間を動くことができ、及び、更には、前記開き位置と前記閉じ位置との間の少なくともひとつの位置にて用いられるように動くことができ、これにより、ファブリック式フィルタシステムを通して流れるガス流れを均一にするようにしたことを特徴とするファブリック式フィルタシステム。
【手続補正３】
【補正対象書類名】図面
【補正対象項目名】図２
【補正方法】変更
【補正の内容】
【図２】
2012501846.tif 000010
【国際調査報告】
2012501846.tif 000011
2012501846.tif 000012
2012501846.tif 000013